(57)【要約】【課題】用途や使用状況に応じて、プライバシー保護，外観の鮮明な視覚の機能を使い分けることが可能なテントを提案する。【解決手段】フレームとフレームに張設されたシートとからなるテントにおいて、シートは、少なくとも一部に、印加電圧に応じてヘイズを２段階以上に切替可能な調光フィルムが設けられており、フレームは、外部電源からの電力を調光フィルムに供給する引回し配線が配設されていることを特徴とする。調光フィルムは、少なくとも透明電極が形成されたフレキシブルな透明基材フィルムを互いの透明電極側を対向して調光層を挟持してなる構成であり、調光層は、液晶分子がポリマー中に分散配置された高分子分散型液晶、または三次元の網目状に形成された樹脂からなるポリマーネットワークの内部に形成された空隙内に配置された液晶分子を有するポリマーネットワーク型液晶の何れかが好適である。【選択図】図１
2019157492.tif 000002
【特許請求の範囲】
【請求項１】
フレームと前記フレームに張設されたシートとからなるテントにおいて、
前記シートは、少なくとも一部に、印加電圧に応じてヘイズを２段階以上に切替可能な調光フィルムが設けられており、
前記フレームは、外部電源からの電力を前記調光フィルムに供給する引回し配線が配設されていることを特徴とするテント。
【請求項２】
前記フレームに張設された前記シートは、全面にわたって前記調光フィルムが適用されており、
前記調光フィルムは、フレームで区画された領域単位で独立して駆動可能である請求項１記載のテント。
【請求項３】
調光フィルムは、少なくとも透明電極が形成されたフレキシブルな透明基材フィルムを互いの透明電極側を対向して調光層を挟持してなる構成であり、
調光層は、液晶分子がポリマー中に分散配置された高分子分散型液晶（ＰＤＬＣ：Polymer  Dispersed  Liquid  Crystal）、または三次元の網目状に形成された樹脂からなるポリマーネットワークの内部に形成された空隙内に配置された液晶分子を有するポリマーネットワーク型液晶（ＰＮＬＣ：Polymer  Network  Liquid  Crystal）の何れかである請求項１または２に記載のテント。
【発明の詳細な説明】
【技術分野】
【０００１】
本発明は、シート（インナーテント，フライシート（＝外張り），外被などを総称）の少なくとも一部に、透明−不透明が切り替わる材料を適用して、視覚特性が改良されたテントに関する。
【背景技術】
【０００２】
キャンプ，各種イベント・レジャーなどのアウトドア用途（あるいは、屋内用途）で、各種サイズ・形状のテント（骨組みと布地からなる簡易住宅）が使用されている。
【０００３】
一般的なテントの用途では、プライバシー保護が求められることから、布地には不透明な素材が用いられており、透明な素材が用いられるとすれば、せいぜい「窓」の役割を担う一部での使用に限られているのが現状である。
【０００４】
例えば、「雨，風，寒さをしのぎながら、テント内から花見，紅葉，天体観測などを楽しみたい。」「四季を通じて日光浴がしたい。」という目的でテントを使用するには、布地部分の大半が透明なテントが望まれるが、透明テントは特異な構造であり、プライバシー保護の機能が疎かになるため、実用性には乏しく、一般的には殆ど普及していない。
【０００５】
「フレームと該フレームを覆う外被とからなるテントにおいて、外被を形成する屋根部の少なくとも一部を透明な可撓性材料で形成し、他の部分を不透明な可撓性材料で形成したテント。」としては、特許文献１が公知であり、「（布地の全面が）透明なシートからなる略四角錐のテント。」としては、特許文献２が公知である。
【先行技術文献】
【特許文献】
【０００６】
【特許文献１】実開昭６１−８０９６５号公報
【特許文献２】実用新案登録第３１９３２２１号公報
【発明の概要】
【発明が解決しようとする課題】
【０００７】
本発明は、用途や使用状況に応じて、プライバシー保護，外観の鮮明な視覚の機能を使い分けることが可能なテントを提案することを目的とする。
【課題を解決するための手段】
【０００８】
本発明によるテントは、
フレームと前記フレームに張設されたシートとからなるテントにおいて、
前記シートは、少なくとも一部に、印加電圧に応じてヘイズを２段階以上に切替可能な調光フィルムが設けられており、
前記フレームは、外部電源からの電力を前記調光フィルムに供給する引回し配線が配設されていることを特徴とする。
【０００９】
前記フレームに張設された前記シートは、全面にわたって前記調光フィルムが適用されており、
前記調光フィルムは、フレームで区画された領域単位で独立して駆動可能な構成としても良い。
【００１０】
調光フィルムは、少なくとも透明電極が形成されたフレキシブルな透明基材フィルムを
互いの透明電極側を対向して調光層を挟持してなる構成であり、
調光層は、液晶分子がポリマー中に分散配置された高分子分散型液晶（ＰＤＬＣ：Polymer  Dispersed  Liquid  Crystal）、または三次元の網目状に形成された樹脂からなるポリマーネットワークの内部に形成された空隙内に配置された液晶分子を有するポリマーネットワーク型液晶（ＰＮＬＣ：Polymer  Network  Liquid  Crystal）の何れかであることが好適である。
【発明の効果】
【００１１】
本発明により、調光シートを活用することにより、シートを交換しての張替えを要さず、用途や使用状況に応じて、プライバシー保護，眺望の鮮明な視覚に適した双方の機能を自在に使い分けることが可能なテントが提供される。
【図面の簡単な説明】
【００１２】
【図１】本発明の一例に係るテントの外観を示す説明図。
【図２】調光フィルムの断面図。
【図３】テントのフレームに引回し配線，駆動回路を配設する一例を示す説明図。
【発明を実施するための形態】
【００１３】
以下、本発明の実施形態について図面を参照しつつ説明する。
【００１４】
図１は、本発明の一例に係るテント１０の外観を示す説明図である。
【００１５】
図１（ａ）はフレームに張設されたシート（調光フィルム）１５（２０）を不透明（散乱）にした状態を示す外観図であり、図１（ｂ）はフレームに張設されたシート（調光フィルム）１５（２０）を透明（非散乱）にした状態を示す外観図である。
【００１６】
図１（ａ）では、窓１１の役割を担う一部と出入り口１２の役割を担う側面部に切開部を形成して、窓１１と出入り口１２を開放した状態を図示している。
【００１７】
本実施形態では、フレームに張設されるシート（調光フィルム）１５（２０）の主要部である調光層として、三次元の網目状に形成された樹脂からなるポリマーネットワークの内部に形成された空隙内に液晶分子が配置されたタイプのＰＮＬＣ（ポリマーネットワーク液晶）、またはポリマー中に分散配置される液晶分子を有するタイプのＰＤＬＣ（高分子分散液晶）の何れかが採用される。以下、調光層としてＰＮＬＣを採用した場合により、代表して説明する。
【００１８】
＜ＰＮＬＣによる調光フィルム＞
ＰＮＬＣからなる調光層を具備する調光フィルム１５（２０）の製造にあたっては、液晶と光重合性化合物（モノマー）との混合物を一対の透明電極基板の間に挟み、一定の条件下で紫外線を照射し、光重合によって光重合性化合物が高分子に変化すると共に、光重合および架橋結合により、微細なドメイン（高分子の空隙）を無数に有するポリマーネットワークが液晶中に形成する。
【００１９】
ＰＮＬＣの駆動電圧は、一般にポリマーネットワークの構造上の特性（ドメインの大きさや形状，ポリマーネットワークの膜厚など）に依存しており、ポリマーネットワークの構造と、得られる光透過／散乱度との関係において、駆動電圧が決定されている。
【００２０】
１００Ｖ以下の電圧領域において、十分な光透過／散乱度が得られるようなＰＮＬＣを構成するには、各ドメインがいずれも適正な大きさで均一となるように、かつ、形状も均一となるようにポリマーネットワークを形成する必要がある。本発明では、ポリマーネットワーク構造に依存するドメインサイズを３μｍ以下、好ましくは２μｍ以下、一層好ま
しくは約１μｍとなる様に制御する。
【００２１】
図２に示すように、調光フィルム２０は、ＰＮＬＣからなる調光層２２と透明導電フィルム２３（ａ，ｂ）とを備えている。
【００２２】
透明導電フィルム２３（ａ，ｂ）は、調光層２２（ＰＮＬＣ）を挟持しており、給電部（図示せず）から調光層２２（ＰＮＬＣ）に電圧を印加して、高ヘイズ（散乱状態），低ヘイズ（透過状態）を変化させる。
【００２３】
調光層２２は、５μｍ〜５０μｍ（好適には１０μｍ〜２５μｍ程度）の厚さでの製造が好ましい。
【００２４】
透明導電フィルム２３は、フィルム基材２５上にＩＴＯやＩＺＯや有機導電膜などの透明な導電材料からなる透明電極２６を成膜してなる透明導電フィルム２３を互いの透明電極２６側を対向して調光層２２を挟持する。
【００２５】
透明電極２６の好適な厚さは８０ｎｍ以上１５０ｎｍ以下である。
【００２６】
尚、ＰＮＬＣでは印加電圧に応じて、二値以外の中間調のヘイズ状態を表現することも可能である。
【００２７】
リバースタイプの調光層２２（ＰＮＬＣ）を具備する調光フィルム２０では、調光層２２の上側の透明導電フィルム２３の間に配向膜２７を積層するとともに、調光層２２の下側の透明導電フィルム２３の間にも配向膜２７が積層される。（図示せず）
ポリマーネットワーク及び液晶分子は、一対の配向膜２７（ａ，ｂ）の間に配置されている。配向膜２７は、いわゆる垂直配向膜であり、調光層２２に電圧を印加していないときに、液晶分子の長手方向が配向膜２７の法線方向に沿うように、当該液晶分子を配向する。このため、リバースタイプの調光層２２（ＰＮＬＣ）は、電圧を印加していないときに低ヘイズ状態となり、透過性が高くなる。
【００２８】
調光層２２（ＰＮＬＣ）は、高ヘイズ（散乱状態）−低ヘイズ（透過状態）の変化だけでなく、色相の変化を奏する構成とすることも可能である。
【００２９】
液晶組成物には、電圧印加により着色状態の変化する色素などが混合されていても良い。
【００３０】
特に、電圧印加により着色状態の変化する色素としては、得られる調光構造体の非透過時（反射時）の透過率をより低減することができるように機能するものであれば良く、例えば、二色性色素，スマート高分子ゲル調光材料などが挙げられるが、二色性色素であることが好ましい。
【００３１】
着色状態も可変な調光フィルム２０とすることで、非透明時には白濁状態ではないカラフルな状態を呈することとなり、テントの装飾性・意匠性の向上にも寄与する。
【００３２】
透明導電フィルム２３を構成する透明基材２５には、ポリエチレンテレフタレート（ＰＥＴ）フィルム，ポリエチレン（ＰＥ）フィルム，ポリカーボネート（ＰＣ）フィルムなどを用いることができる。透明基材２５の厚みは、５０〜２００μｍ程度が望ましい。
【００３３】
本発明では、調光フィルムの最終形態（用途）がテントであるため、テントシートに必要な機械的強度を付与する上で、少なくとも調光フィルムの一方の透明基材に更に厚めの
透明基材（樹脂フィルム）を積層した上でシート材とする。あるいは、調光層（ＰＮＬＣ）を挟持する少なくとも一方の透明基材として厚めの透明基材（樹脂フィルム）を採用することなどが好ましい。
【００３４】
透明導電フィルム２３を構成する透明導電層２６には、一般的にＩＴＯなどの金属酸化物が用いられるが、ＩＴＯに替えて低抵抗の導電性ポリマーを採用することも可能である。導電性ポリマーとしては、ＰＥＤＯＴ／ＰＳＳに例示されるπ共役系導電性高分子にドープされたポリアニオンを含む材料の採用が好適である。
【００３５】
ＩＴＯ，ＩＺＯ，有機導電膜からなる透明電極２６は、ハンダに接着しないため、ハンダ付が可能となる様に、透明電極上に金属メッキ層（Ｎｉが代表的）を形成したり、導電性接着剤による厚膜層を形成するなどの中継的役割を担う端子処理が必要となる。
【００３６】
調光層２２（ＰＮＬＣ）に電圧を印加するための給電部の形成手法の一例では、透明導電フィルム２３（ａ，ｂ）それぞれの端部において、透明基材２５，透明導電層２６，（配向膜２７），および調光層２２が切り欠かれて露出させた透明導電層２６の表面に、接着強度を一層高める上で銀ペースト，カーボンテープ，銅テープがそれぞれ用いられて、接続端子（給電部：図示せず）が形成される。
【００３７】
接続端子から、引回し配線により、調光フィルム２０に電力を供給する電源（図示せず）に接続され、透明導電フィルム２３に付与された給電部（接続端子）から電圧が印加され、調光フィルム２０の液晶駆動が行なわれる。
【００３８】
本発明では、駆動する対象となるテントシート（調光フィルム２０）の給電部近傍に位置するフレーム内に引回し配線を配設する。
【００３９】
図３は、テントのフレームに引回し配線，駆動回路を配設する一例を示す説明図である。
【００４０】
本実施形態で例示するテント構造は、略四角錘台の形状であり、傾斜の緩和された屋根の頂部から傘の骨の様に四方に、支柱や支柱補強部材であるフレームが延びている。
【００４１】
同図では、支柱が４本（それぞれが電極１〜４に接続される引回し配線が配設）あり、各支柱から延びる支柱補強部材が屋根の頂部の下で連結された箇所に、調光フィルムを駆動するための電源，駆動回路，操作スイッチなどが含まれる駆動デバイス３０を備える構成である。
【００４２】
また、インナーテントを含む２重構造としてシート（調光フィルム）を張設する構成であり、各支柱の間にインナーテント用のフレーム（それぞれが電極５〜８に接続される引回し配線が配設）をさらに４本具備しており、インナーテントでの調光動作も可能な構成となっている。
【００４３】
インナーテント，床面シートを除き、フレームに張設されるシート（アウターテント）は、例示する構造では、側面に４箇所の三角形領域を含むシートであり、シート全体を調光フィルムにより構成する場合、４箇所の三角形領域を独立して駆動できる様に、調光フィルムを領域分割して、フレーム近傍に給電部（電極１〜４に対応する接続端子）を形成する。
【００４４】
テント上部（屋根付近）では、窓，採光，外部確認などでの局所的な開閉動作が高頻度で要求されるため、インナーテントの駆動や側面（三角形領域）の局所的な駆動にあたり
、調光フィルム駆動用の電極を別途配設しておくことも必要となる。この場合、テント上部にあたる調光フィルムは独立して領域分割されており、側面（三角形領域）間で水平に架け渡されるフレームにより区画されていることが好適である。
【００４５】
フレーム内に配設した引回し配線に接続される調光フィルム駆動用電源としては、乾電池，カーバッテリー，太陽電池など各種ユニットが使用電力に応じて適宜選定される。
【００４６】
以上により、透明状態と遮蔽状態が自在に切り替えることが可能であり、用途や使用状況に応じて、プライバシー保護，眺望の鮮明な視覚に適した双方の機能を自在に使い分けることが可能なテントが提供される。
【符号の説明】
【００４７】
１０  テント
１１  窓
１２  出入り口
１５  シート（調光フィルム）
２０  調光フィルム
２２  調光層（ＰＮＬＣ）
２３ａ，２３ｂ  透明導電フィルム
２５ａ，２５ｂ  フィルム基材
２６ａ，２６ｂ  透明電極
３０  駆動デバイス
【図１】
2019157492.tif 000003
【図２】
2019157492.tif 000004
【図３】
2019157492.tif 000005